(57)【要約】  本発明は、ピクセル化第１ディスプレイ層２を有する大面積ディスプレイシステム１であって、前記ピクセル化第１ディスプレイ層２が、前記第１ディスプレイ層２において低い解像度の画像を生成するための複数の個々にアドレス指定可能な光源７を含む大面積ディスプレイシステム１に関する。前記システムは、高い解像度の画像を表示するための少なくとも部分的に光学的に透明な第２ディスプレイ層５を更に有し、前記第２層は、前記第１ディスプレイ層２に対して実質的に平行に配置される。前記ディスプレイシステム１は、前記低い解像度の画像及び前記高い解像度の画像が互いに調和させられるように適応される。本発明のディスプレイシステムは、前記観察者が、前記ディスプレイシステムによって生成される画像において向上した幻影３Ｄ奥行きを知覚することを可能にする。
2016519785.tif 000002
【特許請求の範囲】
【請求項１】
ピクセル化第１ディスプレイ層を有する大面積ディスプレイシステムであり、前記ピクセル化第１ディスプレイ層が、前記第１ディスプレイ層において低い解像度の更新できる画像を生成するための複数の個々にアドレス指定可能な光源を含む大面積ディスプレイシステムであって、前記ディスプレイシステムが、前記低い解像度の更新できる画像のリフレッシュレートと比べて著しく低いリフレッシュレートを持つ高い解像度のより静的な画像を生成するための少なくとも部分的に光学的に透明な第２ディスプレイ層を更に有し、前記第２層が、前記第１層に対して実質的に平行に配置され、前記ディスプレイシステムが、互いに調和させられている低い解像度及び高い解像度の画像を含む合成画像を少なくとも１つ表示するよう適応される大面積ディスプレイシステム。
【請求項２】
前記ディスプレイシステムが、前記低い解像度の画像及び前記高い解像度の画像が、たいてい、互いに調和させられる合成画像の動的な表現を表示するよう適応される請求項１に記載のディスプレイシステム。
【請求項３】
前記第２ディスプレイ層が、観察者に対して、前記第１ディスプレイ層の前方に配置される請求項１又は２に記載のディスプレイシステム。
【請求項４】
前記低い解像度の画像が、前記高い解像度の画像のリフレッシュレートの少なくとも１０倍、好ましくは２０倍のリフレッシュレートで更新できる請求項１、２又は３に記載のディスプレイシステム。 
【請求項５】
前記第１ディスプレイ層が、前記光源の前方に配置される拡散層を有する請求項１、２、３又は４に記載のディスプレイシステム。
【請求項６】
前記第２ディスプレイ層が、樹脂材料、好ましくはポリカーボネート、より好ましくはポリメチルメタクリレートのプレートを有する請求項１乃至５のいずれか一項に記載のディスプレイシステム。 
【請求項７】
前記高い解像度の画像が、前記第２ディスプレイ層に着脱可能に設けられる請求項１乃至６のいずれか一項に記載のディスプレイシステム。
【請求項８】
前記ディスプレイシステムが、前記第２ディスプレイ層に前記高い解像度の画像を投影するためのプロジェクタを有する請求項１乃至７のいずれか一項に記載のディスプレイシステム。 
【請求項９】
前記ディスプレイシステムが、前記高い解像度の画像及び前記低い解像度の画像を調和させることが可能な制御装置を更に有する請求項１乃至８のいずれか一項に記載のディスプレイシステム。 
【請求項１０】
前記制御装置が、前記低い解像度の画像の静的な画像部分の高い解像度の静的な画像を生成するように、前記低い解像度の画像のデータを取り出し、編集することが可能であり、前記高い解像度の静的な画像が、前記第２ディスプレイ層に投影されることができる請求項９に記載のディスプレイシステム。
【請求項１１】
前記第１ディスプレイ層と、前記第２ディスプレイ層とが、少なくとも1cmの平均距離だけ互いに分離される請求項１乃至１０のいずれか一項に記載のディスプレイシステム。 
【請求項１２】
前記ディスプレイシステムが、前記高い解像度の画像の情報を取り出し、この情報を３Ｄ奥行き情報に編集し、この３Ｄ奥行き情報を前記低い解像度の画像の情報と組み合わせることが可能な制御装置を有する請求項１乃至１１のいずれか一項に記載のディスプレイシステム。 
【請求項１３】
前記ディスプレイシステムが、観察者の存在を検出することが可能な手段を有し、前記観察者の存在を検出することが可能な手段が、作動時に、所定の一連の低い解像度の更新できる画像を開始させ得る請求項１乃至１２のいずれか一項に記載のディスプレイシステム。
【請求項１４】
前記ディスプレイシステムが、前記観察者の特徴を検出することが可能な手段を更に有し、前記観察者の特徴を検出することが可能な手段が、作動時に、前記特徴を、前記観察者の特徴に基づいて画像を選択することが可能な制御装置に供給する請求項１３に記載のディスプレイシステム。 
【請求項１５】
前記第２ディスプレイ層が、タッチスクリーン作動手段を有し、前記タッチスクリーン作動手段が、作動時に、所定の一連の低い解像度の更新できる画像を開始させ得る請求項１乃至１４のいずれか一項に記載のディスプレイシステム。
【発明の詳細な説明】
【技術分野】
【０００１】
本発明は、ピクセル化第１ディスプレイ層を有する大面積ディスプレイシステムであって、前記ピクセル化第１ディスプレイ層が、前記第１ディスプレイ層によって低い解像度の画像を生成するための複数の個々にアドレス指定可能な光源を含む大面積ディスプレイシステムに関する。このような大面積ディスプレイシステムは、壁に取り付けられてもよいが、自立又は独立ビルボード（の一部）として配置されてもよい。
【背景技術】
【０００２】
冒頭の段落に記述されているタイプの大面積ディスプレイそれ自体は知られている。より詳細には、本願出願人の名前で公開されている国際特許出願WO2011/114263-A2が、ここでは発光テキスタイルをベースにしたアーキテクチャ素子として形成されているこのようなディスプレイシステムを記載している。この素子は、フレームによって規定される境界を持つ領域をカバーするテキスタイルシートを有する。テキスタイルも、前記フレームによってピンと張られ、故に、テキスタイルシートは、平坦で一様な面を持つ。テキスタイルシートは、互いに対して明確に定義された位置に配置される複数の光源（ここではＬＥＤ）を含む。前記ＬＥＤは、導電体によって個々にアドレス指定されることができ、故に、低い解像度のユーザ定義画像が生成され得る。
【０００３】
本願発明者は、既知のディスプレイシステムによって生成される低解像度画像は、最適なようには興味をそそらないことに気付いた。より詳細には、本願発明者は、前記システムによって表示される低解像度画像の観察者は、限定された奥行きの知覚しか経験しないことを見出した。これは、前記ディスプレイを、待合所及び販売促進イベントエリアにおける大面積情報及び／又はエンターテイメントディスプレイとしての使用にはあまり魅力的ではないようにする。
【発明の概要】
【発明が解決しようとする課題】
【０００４】
本発明の目的は、前記ディスプレイシステムを観察者にとってより魅力的にすることによって、上述の問題を解決する又は少なくても軽減することである。より詳細には、本発明は、前記既知のディスプレイを、観察者が、ディスプレイシステムによって生成される画像において向上した幻影３Ｄ奥行きを知覚するように、改善することを目的とする。
【課題を解決するための手段】
【０００５】
本発明のこれら及びあり得る他の目的は、ピクセル化第１ディスプレイ層を有する大面積ディスプレイシステムであり、前記ピクセル化第１ディスプレイ層が、前記第１ディスプレイ層において低い解像度の画像を生成するための複数の個々にアドレス指定可能な光源を含む大面積ディスプレイシステムであって、前記ディスプレイシステムが、高い解像度の画像を表示するための少なくとも部分的に光学的に透明な第２ディスプレイ層を更に有し、前記第２層が、前記第１層に対して実質的に平行に配置され、前記ディスプレイシステムが、互いに調和させられている低い解像度及び高い解像度の画像を含む合成画像を少なくとも１つ表示するよう適応される大面積ディスプレイシステムによって達成される。その場合には、前記ディスプレイシステムは、合成画像の動的な表現を表示するよう適応され、その場合、前記低い解像度の画像及び前記高い解像度の画像は、たいてい、互いに調和させられる。 
【０００６】
本発明は、既知のディスプレイシステムの奥行き経験は、前記第1ディスプレイ層に対して実質的に平行な、ほとんど又は完全に光学的に透明な第２ディスプレイ層を付加することによって、著しく改善されることができるという、本願発明者の認識に基づいている。前記第２ディスプレイ層は、前記低い解像度の画像と調和させられている高い解像度の画像を表示することができなければならない。実際には、両方のタイプの画像の調和は、特に、両方の画像の、同一である、同様である、又は論理的関係性を持つパーツ又は図を表示する部分が、互いに一致することを意味する。単なる、画像に重畳した更新できるテキストは、この目的には不十分である。このような論理的関係性の幾つかの適切な例は、揺れている木をゆっくり通り過ぎる雲及びその動く影、放牧牛を含む山の景色、又はショッピングセンターを歩く人々である。この点で、「たいてい」という表現は、前記表現の画像及び／又は時間の少なくとも50%、例えば、70%又は80%以上を意味する。このような、両画像をたいてい互いに調和させることの結果として、前記合成画像によって形成される画像を見ることによって、素晴らしい奥行き経験が知覚される。前記第１ディスプレイが前記第2ディスプレイを通して見られる場合、前記第２ディスプレイ層の前記高い解像度の画像及び前記第１ディスプレイ層の前記低い解像度の画像の組み合わせは、（重畳画像とも呼ばれる）前記合成画像として観察される。
【０００７】
大面積ディスプレイの表面は、一般に、数平方メートル以上に達することが観察される。従って、２メートル以上の高さ×３メートル以上の幅を持つ大面積ディスプレイは、十分、本発明の範囲内である。低解像度の画像は、一般に、数センチメートルのピッチ長（最も近い隣接ＬＥＤ間の距離）を持つ複数のＬＥＤによって生成されることを強調しておく。前記ＬＥＤは、行及び列の二次元構造において配置され、故に、あらゆる行とあらゆる列との間の各交差点に、アドレス指定可能なＬＥＤが存在する。高い解像度の画像のピクセルは、奥行き経験知覚を高めるために、前述のＬＥＤのピッチ長と比べて、少なくとも２倍又は１０倍、好ましくは２０倍小さいピッチ長を持つ。それ故、前記第２ディスプレイ層によって表示される画像は、高い解像度の画像とみなされ得る。
【０００８】
前記２つのディスプレイ層は、実質的に互いに平行する。従って、平坦なディスプレイ層の場合には、両ディスプレイ層に対する垂線は、数度未満しか異ならないだろう。本発明は、平坦なディスプレイ層を持つディスプレイシステムにおいてよく機能する。しかしながら、前記ディスプレイ層がわずかに湾曲している場合においても前記奥行き経験が得られることを強調しておく。このような状況において、両層は依然として実質的に平行であるべきである（又はだいたい同じ表面曲率を持つべきである）。実際的な理由のため、前記第２ディスプレイ層が前記第１ディスプレイ層と観察者との間に配置され、故に、このような観察者にとって、前記第２ディスプレイ層が前記第１ディスプレイ層の前にあることは非常に好ましい。このような実際的な理由は、低い解像度の更新できる（動的な）画像は、高い解像度の動的な画像と比べて、生成するのがより容易且つ安価であるというものである。更に、低い解像度の動的な画像は、一般に、高い解像度の動的な画像より明るく、従って、前記より明るい画像は、より明るくない画像と比べて、別のディスプレイを通してよりよく観察できる。
【０００９】
前記第２ディスプレイ層は、少なくとも部分的に光学的に透明でなければならない。この特徴は、前記高い解像度の画像が、実際に前記第２ディスプレイ層を通して見る観察者に見えることを可能にする。下で記述するように、前記高い解像度の画像が作成される方法が、前記第２ディスプレイ層が、部分的に透明であるべきか、又は完全に透明であるべきかを考慮するに当たって重要な要素を形成する。 
【００１０】
本発明のディスプレイの実施例は、前記低い解像度の画像は更新できるという特徴を持つ。この特徴は、観察者が、両方のディスプレイ層によって生成される互いに調和させられている合成画像から生じる画像において動きを知覚し得ることをもたらす。前記低い解像度の画像の更新又はリフレッシュは、一般に、毎秒１画像より少ない頻度で実施されるだろうが、本発明は、より少ない頻度でもうまく機能し得る。好ましくは、毎秒５０画像の更新頻度が適用され得る。このような頻度の使用は、前記頻度がＡＣ電源の周波数と一致するという利点を持つ。このような選択は、広く用いられている電流系統での本発明のディスプレイシステムの実施を簡単にする。
【００１１】
観察者が実際には静的な又は動かないシーンを知覚するように長い一連の同じ更新できる画像が前記第１ディスプレイ層によって作成される場合にも前記奥行き経験は存在することに注意されたい。本発明によって供給される前記奥行き経験は、このような静的なシーンにおいても機能する。このような静的なシーンは、或る期間の間、前記低い解像度の画像の更新を停止することによっても得られ得る。本発明によって供給される前記奥行き経験は、両方のディスプレイ層のいずれによって生成される画像においても更新が生じない後者の方法で作成される静的なシーンの場合にも機能する。
【００１２】
前記第２ディスプレイ層は、高い解像度の静的な又は相対的に静的な画像を表示することができる。この画像は、前記更新できる画像に関連して相対的に静的であると述べられている。従って、前記高い解像度の相対的に静的な画像のリフレッシュレートは、前記低い解像度の更新できる画像のリフレッシュレートと比べて、著しく低い。より詳細には、前記相対的に静的な画像のリフレッシュレートは、前記更新できる画像のリフレッシュレートと比べて、少なくも１０倍、好ましくは２０倍以上低い。多くの実際的な状況においては、前記相対的に静的な画像のリフレッシュレートは零に近いだろう。故に、文字通り静的な画像が前記第２ディスプレイ層によって表示される。このような状況においては、大きなフォトプリントが前記第２ディスプレイ層において用いられ得る。 
【００１３】
本発明の大面積ディスプレイシステムの興味深い実施例は、前記第１ディスプレイ層が、前記光源の前に配置される拡散層を有するという特徴を持つ。このような拡散層の存在は、前記光源によって発せられる光の拡散又は不鮮明化を増し、それによって、望ましくないグレアを減らす。これは、光源としてＬＥＤが利用される場合に特に有用である。前記拡散層は、（ポリメチルメタクリレート又はＰＭＭＡのような）光学的に透明な樹脂材料であって、前記光学的に透明な樹脂材料の中に散乱粒子が含まれる光学的に透明な樹脂材料を含み得る。変形例として、このような透明な樹脂材料の表面領域は、或る程度の拡散を達成するよう粗くされ得る。このような拡散層は、好ましくは、前記第１ディスプレイ層と前記第２ディスプレイ層との間に配置される。 
【００１４】
本発明によるディスプレイシステムの別の興味深い実施例は、前記第２ディスプレイ層が、樹脂材料、好ましくはポリカーボネート（ＰＣ）、より好ましくはポリメチルメタクリレート（ＰＭＭＡ）のプレートを有することを特徴とする。原則的に、前記第２ディスプレイ層は、ガラスのプレートを含み得る。ガラスを含むディスプレイ層は、それらの相対的に高い比重のために、このような層がディスプレイシステムの総重量に大いに寄与するような大面積ディスプレイシステムの場合に、あまり好ましくない。更に、前記第２ディスプレイ層の重さに影響を及ぼすよう前記ガラス層の厚さを薄くすることはまた、その必要とされる剛性ソリッド構造を弱めるそれ故、（半）透明なプラスチック又は他の有機ポリマー材料のような樹脂材料のプレートが好ましい。広く用いられているポリカーボネートのプレートの使用時には良い結果が期待され得る。前記第２ディスプレイ層においてポリメチルメタクリレートのプレートが利用される場合、更により良い結果が得られ得る。このタイプのプレートを持つディスプレイシステムは、公共の場において用いられる場合に、傷つきにくい。
【００１５】
本発明のディスプレイシステムの更に興味深い実施例は、前記高い解像度の画像が、前記第２ディスプレイ層に着脱可能に設けられるという特徴を持つ。この方法は、前記ディスプレイシステムの相対的に簡単な設計を可能にし、このような相対的に静的な画像がかなり簡単な方法で入れ替えられることを可能にする。この実施例用の高い解像度の静的な画像は、ポリエチレン（ＰＥ）、ポリプロプレン（ＰＰ）又はポリ塩化ビニル（ＰＶＣ）のような光学的に透明な材料の薄い層に印刷され得る。このような静的な画像が印刷された層は、その後、前記第２ディスプレイ層の前記プレートに取り付けられ得る。前記静的な画像が印刷された薄い層は、接着層を持つステッカーであって、前記第２ディスプレイ層に着脱可能に接着され得るステッカーの形態であってもよい。従って、この設計によるディスプレイシステムにおいては、前記高い解像度の静的な画像が、前記第２ディスプレイ層において永続的に表示される必要がない。この設計によるディスプレイシステムにおいては、前記第２ディスプレイ層は完全に光学的に透明であることが好ましい。
【００１６】
本発明のディスプレイシステムの更に他の実施例は、前記ディスプレイシステムが、前記第２ディスプレイ層に前記高い解像度の画像を投影するためのプロジェクタを有するという特徴を持つ。このようなプロジェクタは、前記第２ディスプレイ層から或る程度離れたところに、例えば、前記ディスプレイシステムが配置される建物の天井又は壁に配置され得る。従って、前記プロジェクタは、前記第２ディスプレイ層に高い解像度の静的な又は相対的に静的な画像を投影することを可能にする。前記第２ディスプレイ層それ自体の中に配置されるアドレス指定可能な高い解像度のピクセルを用いて前記第２ディスプレイ層において画像を作成することも、原則的に可能であるが、実際にはかなり扱いにくく、高価になるように思われる。プロジェクタを有するディスプレイシステムは、前記静的な画像が相対的に簡単な方法で更新又はリフレッシュされることができるという利点を持つ。前記更新の頻度は、好ましくは、前記低い解像度の画像の更新頻度より低いだろう。従って、前記静的な画像を変えるためのステッカー又は前記第２ディスプレイ層全体の分離が、今記載した設計のディスプレイシステムには必要ない。この設計による好ましい実施例においては、前記第２ディスプレイ層は、前記後者の層における前記高い解像度の静的な画像の適切な投影を可能にするために、完全には光学的に透明ではない。
【００１７】
本発明のディスプレイシステムの更に別の興味深い実施例は、前記高い解像度の画像及び前記低い解像度の画像を調和させることが可能な制御装置を更に有する。このような制御装置の存在は、調和の質を高めることができ、前記ディスプレイシステムによって生成される画像の奥行き経験の改善をもたらす。両方のタイプの画像を調和させることが、前記制御装置によって自動化されることができ、故に、両方のタイプの画像の相互位置合わせが必要ない。 
【００１８】
前の段落に記載されている本発明の大面積ディスプレイシステムの特定の実施例は、前記制御装置が、前記低い解像度の画像の静的な画像部分の高い解像度の静的な画像を生成するように、前記低い解像度の画像のデータを取り出し、編集することが可能であり、前記高い解像度の静的な画像が、前記第２ディスプレイ層に投影されることができることを特徴とする。この設計のディスプレイシステムにおいては、或る期間の間変化しない連続した前記低い解像度の更新できる画像の或る部分が、前記制御装置によって選択され得る。前記制御装置は、その後、これらの部分の高い解像度の静的な画像を作成することができ、前記静的な画像は、前記第２ディスプレイ層に投影される。この方法のために必要とされる解像度向上技術及び関連ソフトウェアは当業者に知られている。 
【００１９】
本発明のディスプレイシステムの他の実施例は、前記第１ディスプレイ層と、前記第２ディスプレイ層とが、少なくとも１センチメートルの平均距離だけ互いに分離されることを特徴とする。両方のディスプレイ層を或る一定の相互距離をおいて配設することは、観察者が経験する奥行き知覚が向上されるように思われるという利点を供給する。１センチメートルの距離は、この効果を得るために必要とされる事実上最低限の距離である。特に、より大きな表面積を持つディスプレイは、最適な奥行き経験の改善を達成するために、例えば５センチメートルのより大きな相互距離をおいて配設され得る。両方のディスプレイ層の間の空間には、通常、空気が充填されるだろう。平坦な又はわずかに湾曲したディスプレイ層を持つディスプレイシステムにおいて、前記第１ディスプレイ層及び前記第２ディスプレイ層のこのような分離が用いられ得る。
【００２０】
本発明のディスプレイシステムの別の興味深い実施例によれば、前記ディスプレイは、前記高い解像度の画像の情報を取り出し、この情報を３Ｄ奥行き情報に編集し、この３Ｄ奥行き情報を前記低い解像度の画像の情報と組み合わせることが可能な制御装置を有する。２Ｄ画像から３Ｄ画像を構成するソフトウェアそれ自体は、例えば、スタンフォード大学（http://ai.standford.edu/~asaxena/reconstruction3d）及びコーネル大学（http://make3d.cs.conreell.edu）から既知である。前記制御装置においてこのソフトウェアを用いることによって、前記ディスプレイシステムの奥行き経験は、自動化された方法で、著しく向上され得る。更に、前記ディスプレイシステムによって表示される前記動く部分は、前記静的な画像部分に対してより自然なように動くことができる。例えば、前記観察者から遠ざかる物体は、前記観察者には小さくなっていくように経験される。
【００２１】
本発明による大面積ディスプレイシステムの別の実施例は、前記ディスプレイシステムが、観察者の存在を検出することが可能な手段を有し、前記観察者の存在を検出することが可能な手段が、作動時に、所定の一連の低い解像度の更新できる画像を開始させ得るという特徴を持つ。この特徴は、前記更新できる画像に埋め込まれた重要な情報が、観察者が前記ディスプレイシステムから或る距離の範囲内に来た時点に、表示されることを確実にする。前記システムは、その時点に、前記観察者の存在を検出し、前記表示を停止し、前記重要な情報が配置されている所定の箇所において前記表示を開始する。この特徴は、最大限の数の観察者に或る関連情報が与えられる必要がある場合に、非常に重要である。
【００２２】
本発明の大面積ディスプレイシステムの他の実施例は、前記ディスプレイシステムが、前記観察者の特徴を検出することが可能な手段を更に有し、前記観察者の特徴を検出することが可能な手段が、作動時に、前記特徴を、前記観察者の特徴に基づいて画像を選択することが可能な制御装置に供給するという特徴を持つ。この特徴は、前記ディスプレイシステムに或る程度のインテリジェンスを与えることができ、前記ディスプレイシステムは、観察者の特徴（例えば性別）に基づいて或る画像を選択することができる。
【００２３】
本発明のディスプレイシステムの別の興味深い実施例によれば、前記第２ディスプレイ層は、タッチスクリーン作動手段を有し、前記タッチスクリーン作動手段は、前記手段の作動時に、所定の一連の低い解像度の更新できる画像を開始させ得る。この実施例においては、観察者は、前記第２ディスプレイ層の一部をタッチすることによって前記ディスプレイシステムと能動的に対話し得る。観察者によるスクリーンのタッチは、「前記表示の停止」及び「前記表示の別の部分における開始」を引き起こし得る。２つ以上のタッチスクリーン作動手段の存在は、前記観察者が或る選択をすることを可能にし、前記或る選択は、前記表示の停止及び観察者の選択箇所における前記表示の開始（再開）をもたらし得る。
【００２４】
US20120139956A1は、デジタルコンテンツを供給するよう動作可能なディプレイスクリーンと、前記ディスプレイスクリーンがオフ状態にあるときには、不透明な拡散反射性に見え、前記ディスプレイスクリーンがオン状態にあるときには、拡散反射コンテンツと共に放射表示コンテンツが見えることを可能にするための、前記ディスプレイスクリーンの上に配置される主題オーバーレイとを含む放射性ディスプレイ装置を開示している。
【００２５】
下記の実施例を参照して、本発明のこれら及び他の態様を説明し、明らかにする。
【図面の簡単な説明】
【００２６】
【図１】本発明による大面積ディスプレイシステムの斜視図を示す。
【図２】図１に示されている本発明のディスプレイシステムの一部の断面を示す。
【図３】本発明によるディスプレイシステムによって生成される単純な表示画像を示す。
【発明を実施するための形態】
【００２７】
図面は、概略的なものであって、縮尺通りではないことを強調しておく。異なる図において、同じ要素は、同じ参照符号によって示されている。
【００２８】
図１は、本発明による大面積ディスプレイシステムの斜視図を概略的に示している。ディスプレイシステムは、第１ディスプレイ層２を有し、第１ディスプレイ層２は、複数の個々にアドレス指定可能な光源（ここではＬＥＤ）が埋め込まれているテキスタイルシートから成る。前記シートは、平坦なディスプレイ層を生成するために金属フレーム（図示せず）によってピンと張られる。ＬＥＤ（図示せず）は、テキスタイルシートに取り付けられ、前記テキスタイルシートには、個々のＬＥＤに電力を供給するために必要とされる導電体ワイヤも含まれる。 
【００２９】
複数のＬＥＤは、前記シートにわたって整然と分布させられ、故に、ＬＥＤの平行な行及び平行な列が区別されることができる。より詳細には、ＬＥＤの列は、第１ディスプレイ層の縁３に対して平行に配設されるのに対して、ＬＥＤの行は、第１ディスプレイ層の縁４に対して平行に配設される。ＬＥＤは、各ＬＥＤの、最も近い隣接ＬＥＤとの距離が、約４センチメートルであるように配置される。（ピッチ長とも呼ばれる）この距離は、水平方向（行）及び垂直方向（列）のＬＥＤに対して同じである。テキスタイルシートに配設される、対応する行の導体及び列の導体が、ＬＥＤの個々のＤＣ給電を供給する。ＬＥＤに電力を供給することによって、第１ディスプレイ層により、低い解像度の画像が作成され得る。これらの画像は、或る頻度で更新又はリフレッシュされることができ、故に、観察者により動画のように感じられ得る画像が作成され得る。 
【００３０】
ディスプレイシステムは、透明な材料（ここではＰＭＭＡ）で作成される第２ディスプレイ層５も有する。第１ディスプレイ２及び第２ディスプレイ層５は、約２メートル（幅）×１メートル（高さ）の寸法を持ち、約２センチメートルの相互距離において互いに対して平行に配置される。両方のディスプレイ層は、ディスプレイ層の少なくとも４つの角に存在する接続手段（図示せず）によって相互接続され得る。ディスプレイシステムを見る観察者は、矢印６によって示されている方向において見ると共に、第２ディスプレイ層５が第１ディスプレイ層２の前に位置することを観察する。第２ディスプレイ層５には、高い解像度の静的な画像が、取り付けられ得る、又は投影され得る。本発明の基本的な態様によれば、ディスプレイシステムの動作中に用いられる第１ディスプレイ層２及び第２ディスプレイ層５の両方の画像は、互いに調和させられる。この態様は、図３を参照してより詳細に説明されるだろう。
【００３１】
図２は、図１に示されているディスプレイシステム１の断面を示しており、前記断面は、前記水平方向にとられている。ＬＥＤ７は、テキスタイルの第１ディスプレイ層２に取り付けられる。行の導体８は、個々のＬＥＤ７ｂにＤＣによって電力を供給するために、列の導体（図示せず）と一緒に動作する。これらの導体は、第１ディスプレイ層２のテキスタイルシートにおいて編み合わされている。ラインごとに個々のＬＥＤに電力を供給するために必要とされる給電方式は、当業者によく知られている。このような給電方式は、第１ディスプレイ層２によって生成される画像をリフレッシュする又は更新することを可能にする。
【００３２】
ＬＥＤ７の前方には、透光性ＰＭＭＡの拡散層９が取り付けられる。この層は、ＬＥＤによって生成される光を、前記光が第１ディスプレイ層２を出る前に、幾らか拡散させる。拡散層９の前方には、光学的に透明なＰＭＭＡの第２ディスプレイ層５が取り付けられる。前記第２ディスプレイ層５は、間隔層１０によって、第１ディスプレイ層２から約２センチメートルの距離だけ分離される。高い解像度の写真として形成された静的な画像１１が、第２ディスプレイ層５の主要面上に配置される。示されている実施例においては、前記画像１１は、第２ディスプレイ層５に接着される透明な材料の薄い層に印刷されている。この画像１１は、透明領域１２と、完全に透明ではない（又は完全に不透明ではない）拡散領域１３との両方を有する。この静的な画像のピクセル間の距離は、第１ディスプレイ層２に存在する最も近い隣接ＬＥＤ７の距離と比べて、ずっと、少なくとも１０倍、好ましくは２０倍小さい。 
【００３３】
図３は、本発明によるディスプレイシステム１によって生成される単純な重畳画像の例を概略的に示している。この画像は、方向６においてディスプレイシステム１を見る観察者によって見られる。このような重畳画像は、第２ディスプレイ層５によって表示される高い解像度の静的な画像、及び第１ディスプレイ層２によって表示される低い解像度の更新できる画像から構成される。より詳細には、静的な画像は、山の輪郭１４だけを示しているのに対して、更新できる画像は、山の輪郭１４と、前記山から流れる、動いている川１５との両方を示している。
【００３４】
上記のように、ディスプレイシステムは、更新できる画像と静的な画像とが互いに調和させられるように適応される。詳細には、この実施例においては、更新される画像の中に存在する動く部分（流れている川）は、第１ディスプレイ層２によってしか表示されない。しかしながら、両方の画像の中に存在する静的な部分（山の輪郭）は、第１ディスプレイ層２及び第２ディスプレイ層５によって表示され、前記静的な部分は、重畳され、観察者にとって事実上一致している。前記静的な部分は、手動の方法で一致させられてもよい。しかしながら、両方のディスプレイ層によって表示される画像の前記調和は、制御装置によって実現されてもよい。このような制御装置は、更新できる画像の静的な部分の高い解像度の静的な画像を生成するように、更新できる画像のデータを取り出し、編集することができてもよい。このような高い解像度の静的な画像は、両方の画像の静的な部分が一致するように第２ディスプレイ層に投影されてもよい。
【００３５】
本発明によるディスプレイシステム１によって生成される重畳画像は、観察者に素晴らしい奥行き経験をもたらすことが分かった。前記奥行き経験は、とりわけ、第１ディスプレイ層２と第２ディスプレイ層５との間の距離に依存する。ディスプレイ層の間に一定の距離を持つディスプレイシステムにおいては、高い解像度の画像のデータを３Ｄ情報に編集することによって、向上した奥行き経験が実現され得る。この３Ｄ情報は、制御装置によって、既に調和させられている更新できる画像の情報と組み合わされ得る。
【００３６】
ディスプレイシステムは、存在検出用システムがディスプレイシステムから或る距離の範囲内の人に気づいたときに表示が始まるように、存在検出用システムも具備してもよい。表示は、このような人の特徴に基づいて選択されてもよい。第２ディスプレイ層５は、観察者とディスプレイシステム１との間の双方向のコミュニケーションのためのタッチスクリーン作動手段１６も含んでもよい。
【００３７】
言うまでもなく、本発明によるディスプレイシステムは、多種多様なシーンを表示するために用いられることができる。幾つかの例は、１）揺れている木（動く部分）からリンゴを摘む人（動く部分）、２）道（静的な部分）に沿って歩いている人（動く部分）、３）テニスコート（静的な部分）でテニスをしている人（動く部分）、及び４）景色（静的な部分）の上を通過する雲（動く部分）である。
【００３８】
図面及び上記の説明において本発明が詳細に図示及び記載されているが、このような図示及び説明は、説明的なもの又は例示的なものとみなされるべきであり、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。
【００３９】
請求項において、「有する」という文言は、他の要素又はステップを除外せず、単数形表記は、複数性を除外しない。単に、或る手段が互いに異なる請求項において挙げられているという事実は、これらの手段の組み合わせが有利には用いられることができないことを示すものではない。請求項における如何なる参照符号も、これらの請求項の範囲を限定するものとして解釈されるべきではない。
【図１】
2016519785.tif 000003
【図２】
2016519785.tif 000004
【図３】
2016519785.tif 000005
【国際調査報告】
2016519785.tif 000006
2016519785.tif 000007
2016519785.tif 000008